(57)【要約】【課題】コネクタ本体から接続対象物を容易に取り出すことができるコネクタ用トレイおよびコネクタを提供する。【解決手段】接続対象物を収容した状態で挿入方向に向かってコネクタ本体に挿入されるコネクタ用トレイであって、接続対象物を収容するトレイ本体１１と、挿入方向に沿って変位可能にトレイ本体１１に接続されるトレイ外装部１２と、トレイ本体１１とトレイ外装部１２との間に直列に配置され、且つ、トレイ外装部１２を挿入方向においてトレイ本体１１から遠ざかった位置である第１位置とトレイ本体に近接した位置である第２位置との間で変位させるプッシュプッシュ機構Ｐとを備える。【選択図】図１
2020177874.tif 000002
【特許請求の範囲】
【請求項１】
接続対象物を収容した状態で挿入方向に向かってコネクタ本体に挿入されるコネクタ用トレイであって、
前記接続対象物を収容するトレイ本体と、
前記挿入方向に沿って変位可能に前記トレイ本体に接続されるトレイ外装部と、
前記トレイ本体と前記トレイ外装部との間に直列に配置され、且つ、前記トレイ外装部を前記挿入方向において前記トレイ本体から遠ざかった位置である第１位置と前記トレイ本体に近接した位置である第２位置との間で変位させるプッシュプッシュ機構と
を備えるコネクタ用トレイ。
【請求項２】
前記プッシュプッシュ機構は、
前記トレイ外装部に接続されたカム機構と、
前記挿入方向において前記カム機構と並列に配置され且つ前記トレイ本体に対して前記トレイ外装部を前記挿入方向に押し出す押し出し機構と
を有する請求項１に記載のコネクタ用トレイ。
【請求項３】
前記押し出し機構は、前記挿入方向に直交する方向において前記カム機構の両側に配置される２本のスプリングを有する請求項２に記載のコネクタ用トレイ。
【請求項４】
前記カム機構は、前記トレイ本体に形成されたカム溝と、前記カム溝に一端部が挿入され且つ他端部が前記トレイ外装部に連結されたカムフォロワを有し、
前記カムフォロワの前記他端部は、前記トレイ外装部に回転可能に連結され、前記カムフォロワの前記一端部は、前記カム溝に沿って移動する請求項２または３に記載のコネクタ用トレイ。
【請求項５】
前記トレイ本体は、前記挿入方向に沿って延びるガイド部を有し、
前記トレイ外装部は、前記ガイド部に接触する被ガイド部を有し、
前記トレイ外装部が前記トレイ本体に対して前記挿入方向に変位する際に、前記被ガイド部が前記ガイド部により案内される請求項１〜４のいずれか一項に記載のコネクタ用トレイ。
【請求項６】
前記トレイ本体は、カード形状の前記接続対象物を収容する請求項１〜５のいずれか一項に記載のコネクタ用トレイ。
【請求項７】
請求項１〜６のいずれか一項に記載のコネクタ用トレイが、前記コネクタ本体に挿入されることを特徴とするコネクタ。
【発明の詳細な説明】
【技術分野】
【０００１】
この発明は、接続対象物を収容した状態でコネクタ本体に挿入されるコネクタ用トレイおよびコネクタに関する。
【背景技術】
【０００２】
従来から、ＳＩＭ（Subscriber Identity Module）カード等のカード形状の接続対象物が知られている。このような接続対象物用のコネクタとして、例えば、特許文献１のコネクタが開発されている。特許文献１のコネクタは、図２４に示すように、板状の接続対象物を保持するカードホルダ１と、カードホルダ１が挿入されることによりカードホルダ１に保持された接続対象物に接続されるコネクタ本体２を有している。コネクタ本体２は、カードホルダ１がコネクタ本体２に挿入された状態において、挿入方向に対してカードホルダ１と並列に配置された、いわゆるプッシュプッシュ機構３を内蔵している。プッシュプッシュ機構３は、カードホルダ１がコネクタ本体２に挿入されている状態で、ユーザの指４等によりカードホルダ１がコネクタ本体２にさらに押し込まれることにより、カードホルダ１をコネクタ本体２から押し出す。また、コネクタ本体２は、例えば、電子機器の筐体５の内部に配置されており、カードホルダ１は、プッシュプッシュ機構３に押し出されることにより、筐体５の外部に排出される。
【先行技術文献】
【特許文献】
【０００３】
【特許文献１】特開２０１５−１１９５４号公報
【発明の概要】
【発明が解決しようとする課題】
【０００４】
しかしながら、特許文献１のコネクタにおいては、特許文献１にも記載されているように、何らかの原因によりカードホルダ１とコネクタ本体２との間の接触力が、プッシュプッシュ機構３がカードホルダ１を押し出す力を超えてしまうと、カードホルダ１が筐体５の外部に排出されない場合があった。また、図２４に示すように、カードホルダ１には凹部６が形成されており、カードホルダ１が筐体５の外部に排出されない場合には、図示しないピン状のツールを凹部６に引掛けて、ピン状のツールにより、カードホルダ１をコネクタ本体２から強制的に引き抜く必要があった。
【０００５】
この発明は、このような従来の問題点を解消するためになされたもので、コネクタ本体から接続対象物を円滑に取り出すことができるコネクタ用トレイおよびコネクタを提供することを目的とする。
【課題を解決するための手段】
【０００６】
この発明に係るコネクタ用トレイは、接続対象物を収容した状態で挿入方向に向かってコネクタ本体に挿入されるコネクタ用トレイであって、接続対象物を収容するトレイ本体と、挿入方向に沿って変位可能にトレイ本体に接続されるトレイ外装部と、トレイ本体とトレイ外装部との間に直列に配置され、且つ、トレイ外装部を挿入方向においてトレイ本体から遠ざかった位置である第１位置とトレイ本体に近接した位置である第２位置との間で変位させるプッシュプッシュ機構とを備えることを特徴とする。
プッシュプッシュ機構は、トレイ外装部をトレイ本体に対して変位させるため、トレイ本体がコネクタ本体に挿入された場合であっても、トレイ本体とコネクタ本体との間の接触力の影響を受けることなくトレイ外装部を変位させることができる。
【０００７】
プッシュプッシュ機構は、トレイ外装部に接続されたカム機構と、挿入方向においてカム機構と並列に配置され且つトレイ本体に対してトレイ外装部を挿入方向に押し出す押し出し機構とを有することが好ましい。カム機構と押し出し機構とが並列に配置されているので、挿入方向におけるコネクタ用トレイの寸法を小さくできる。
押し出し機構は、挿入方向に直交する方向においてカム機構の両側に配置される２本のスプリングを有することができる。２本のスプリングによってトレイ外装部の２点を押すことにより、バランスよく押し出すことができる。
カム機構は、トレイ本体に形成されたカム溝と、カム溝に一端部が挿入され且つ他端部がトレイ外装部に連結されたカムフォロワを有し、カムフォロワの他端部は、トレイ外装部に回転可能に連結され、カムフォロワの一端部は、カム溝に沿って移動することができる。
【０００８】
トレイ本体は、挿入方向に沿って延びるガイド部を有し、トレイ外装部は、ガイド部に接触する被ガイド部を有し、トレイ外装部がトレイ本体に対して挿入方向に変位する際に、被ガイド部がガイド部により案内されることができる。
また、トレイ本体は、カード形状の接続対象物を収容することができる。
【０００９】
この発明に係るコネクタは、上記のコネクタ用トレイがコネクタ本体に挿入されることを特徴とする。
【発明の効果】
【００１０】
この発明によれば、接続対象物を収容するトレイ本体と、挿入方向に沿って変位可能にトレイ本体に接続されるトレイ外装部と、トレイ本体とトレイ外装部との間に直列に配置され、且つ、トレイ外装部を挿入方向においてトレイ本体から遠ざかった位置である第１位置とトレイ本体に近接した位置である第２位置との間で変位させるプッシュプッシュ機構とを備えるため、コネクタ本体から接続対象物を円滑に取り出すことができる。
【図面の簡単な説明】
【００１１】
【図１】この発明の実施の形態に係るコネクタ用トレイの斜視図である。
【図２】実施の形態に係るコネクタ用トレイの分解図である。
【図３】実施の形態におけるトレイ本体の斜視図である。
【図４】実施の形態におけるトレイ本体側接続部の拡大斜視図である。
【図５】実施の形態におけるトレイ本体の正面図である。
【図６】実施の形態におけるトレイ本体の平面図である。
【図７】実施の形態におけるトレイ本体に形成されたカム溝の拡大図である。
【図８】実施の形態におけるトレイ外装部の斜視図である。
【図９】実施の形態におけるトレイ外装部の背面図である。
【図１０】実施の形態におけるトレイ外装部の底面図である。
【図１１】実施の形態におけるカムフォロワの斜視図である。
【図１２】実施の形態における接続カバーの斜視図である。
【図１３】接続カバーが省略された状態の実施の形態に係るコネクタ用トレイの斜視図である。
【図１４】図１３の要部拡大平面図である。
【図１５】実施の形態に係るコネクタ用トレイの要部拡大斜視図である。
【図１６】図１５におけるＡ−Ａ線断面図である。
【図１７】実施の形態においてトレイ外装部が第１位置に配置された状態からトレイ本体に向かって押し込まれた状態を示す図である。
【図１８】実施の形態においてトレイ外装部が第２位置に配置されている状態を示す図である。
【図１９】実施の形態においてトレイ外装部が第２位置に配置された状態からトレイ本体に向かってさらに押し込まれた状態を示す図である。
【図２０】実施の形態に係るコネクタ用トレイを有するコネクタを示す図である。
【図２１】実施の形態においてトレイ本体が筐体内に挿入され且つトレイ外装部が第２位置に配置されている状態を示す図である。
【図２２】実施の形態においてトレイ本体が筐体内に挿入され且つトレイ外装部が第２位置に配置された状態からトレイ本体に向かって押し込まれた状態を示す図である。
【図２３】実施の形態においてトレイ本体が筐体内に挿入され且つトレイ外装部が筐体から排出された状態を示す図である。
【図２４】従来のコネクタを示す図である。
【発明を実施するための形態】
【００１２】
以下、この発明の実施の形態を添付図面に基づいて説明する。
図１に、実施の形態に係るコネクタ用トレイ１０を示す。コネクタ用トレイ１０は、ＳＩＭ（Subscriber Identity Module）カード等の図示しないカード形状の接続対象物を収容した状態で挿入方向に向かって図示しないコネクタ本体に挿入されるものである。コネクタ用トレイ１０は、接続対象物を収容するトレイ本体１１と、挿入方向に沿って変位可能にトレイ本体１１に接続されるトレイ外装部１２と、トレイ本体１１およびトレイ外装部１２に連結され且つトレイ本体１１とトレイ外装部１２とが互いに接続されている状態を維持する接続カバー１３とを備えている。
ここで、便宜上、コネクタ用トレイ１０の挿入方向をＹ方向として、トレイ本体１１からトレイ外装部１２に向かう方向を＋Ｙ方向、Ｙ方向に直交するコネクタ用トレイ１０の幅方向をＸ方向、Ｘ方向およびＹ方向に直交するコネクタ用トレイ１０の高さ方向をＺ方向と呼ぶこととする。
【００１３】
トレイ本体１１とトレイ外装部１２との間には、プッシュプッシュ機構Ｐが直列に配置されている。このプッシュプッシュ機構Ｐにより、トレイ外装部１２は、Ｙ方向においてトレイ本体１１から遠ざった位置である第１位置と、トレイ本体１１に近接した位置である第２位置との間で変位する。
【００１４】
図２に、コネクタ用トレイ１０の分解図を示す。コネクタ用トレイ１０は、図１に示すトレイ本体１１、トレイ外装部１２および接続カバー１３の他、トレイ本体１１とトレイ外装部１２に接続される棒状のカムフォロワ１４と、カムフォロワ１４のＸ方向の両側においてトレイ本体１１上に配置される２本のスプリング１５を有している。トレイ本体１１、トレイ外装部１２、カムフォロワ１４および２本のスプリング１５を互いに組み合わせると共に、トレイ本体１１とトレイ外装部１２に接続カバー１３を連結させることにより、図１に示すように、コネクタ用トレイ１０が組み立てられる。
【００１５】
図３に示すように、トレイ本体１１は、Ｙ方向に沿った一対の長辺を有する概ね長方形の形状を有しており、−Ｙ方向側に位置し且つ図示しない接続対象物を収容するための接続対象物収容部２１と、＋Ｙ方向側に位置し且つトレイ外装部１２に接続されるトレイ本体側接続部３１を有している。
接続対象物収容部２１は、Ｚ方向から見たときに、Ｙ方向に沿った一対の長辺を有する概ね長方形の形状を有している。また、接続対象物収容部２１に、＋Ｚ方向に対して開口し且つ接続対象物が収容される収容凹部２２が形成されている。収容凹部２２は、Ｙ方向に沿った一対の長辺を有する概ね長方形の形状を有しており、その底部２３に、Ｙ方向に沿った一対の長辺を有する概ね長方形の開口部２４が形成されている。図示しないが、例えば、カード形状の接続対象物の接続端子を−Ｚ方向に向けて接続対象物を収容凹部２２に収容することにより、接続対象物の接続端子を収容凹部２２の開口部２４から−Ｚ方向に露出させて、開口部２４を通して接続対象物の接続端子と図示しないコネクタ本体とを接続することができる。
【００１６】
トレイ本体側接続部３１は、Ｚ方向から見たときに、Ｘ方向に沿って一対の長辺を有する概ね長方形の形状を有している。また、トレイ本体側接続部３１には、トレイ本体側接続部３１のＸ方向の中央部に位置するカム溝３２と、カム溝３２のＸ方向の両側に位置し且つＹ方向に沿って延びる一対のガイド部３３が形成されている。
また、トレイ本体側接続部３１のＸ方向の両側部に、それぞれ、接続カバー１３を取り付けるための接続カバー取付凹部３５が形成されている。
【００１７】
図４に示すように、一対のガイド部３３は、−Ｙ方向端部が閉じられているが＋Ｙ方向および＋Ｚ方向に向かって開放されており、ＹＺ平面に対して互いに対称な形状を有している。一対のガイド部３３は、ＸＹ平面に沿って延びる平坦なガイド底面３３Ａと、トレイ本体側接続部３１のＸ方向の内側に位置し且つ＋Ｚ方向に突出しながらＹ方向に沿って延びる内側ガイド壁３３Ｂと、トレイ本体側接続部３１のＸ方向の外側に位置し且つ＋Ｚ方向に突出しながらＹ方向に沿って延びる外側ガイド壁３３Ｃを有している。さらに、一対のガイド部３３は、それぞれ、外側ガイド壁３３Ｃよりもトレイ本体側接続部３１のＸ方向の外側に、Ｙ方向に沿って延び且つスプリング１５を収容するためのスプリング収容溝３３Ｄを有している。スプリング収容溝３３Ｄの底部には、ＸＹ平面に沿って延びる平坦なスプリング収容溝底面Ｂ１が形成されている。また、図５に示すように、スプリング収容溝３３Ｄのスプリング収容溝底面Ｂ１は、スプリング収容溝３３Ｄに安定してスプリング１５を収容するためにガイド底面３３Ａよりも低い位置すなわちガイド底面３３Ａよりも−Ｚ方向側に位置するように形成されている。
【００１８】
図６に示すように、カム溝３２は、トレイ本体側接続部３１のＸ方向の中央部に形成され、カムフォロワ１４の−Ｙ方向端部が挿入されるものである。図７に示すように、カム溝３２は、閉じられたいわゆるハート型の形状を有しており、カム溝３２の＋Ｙ方向端部に相当する位置Ｇ１と、カム溝３２の−Ｙ方向端部に相当する位置Ｇ２と、位置Ｇ２よりも−Ｘ方向側に位置し且つＹ方向において位置Ｇ１と位置Ｇ２の間に配置された位置Ｇ３と、位置Ｇ３よりも−Ｘ方向側に位置し且つ位置Ｇ２と共にカム溝３２の−Ｙ方向端部に相当する位置Ｇ４とを有している。
また、＋Ｚ方向側からカム溝３２を見たときに、図示しないカムフォロワ１４の−Ｙ方向端部がカム溝３２に沿って右回りにのみ移動し、左回りには移動しないように、カム溝３２に複数の段差が形成されている。
【００１９】
図８に示すように、トレイ外装部１２は、Ｘ方向に沿って延びる板状の把持部４１と、把持部４１から−Ｙ方向に突出し且つ図示しないトレイ本体１１に接続されるトレイ外装部側接続部４２を有している。
トレイ外装部側接続部４２は、把持部４１のＸ方向の中央部に位置し且つ図示しないカムフォロワ１４の＋Ｙ方向端部が連結されるカムフォロワ連結部４３と、カムフォロワ連結部４３のＸ方向の両側に位置し且つ図示しないトレイ本体側接続部３１の一対のガイド部３３に接触する一対の被ガイド部４４を有している。
【００２０】
カムフォロワ連結部４３に、カムフォロワ連結部４３をＺ方向に貫くカムフォロワ挿入孔４３Ａが形成されている。
一対の被ガイド部４４の＋Ｚ方向を向いた上部に、Ｙ方向に沿って延び且つ図示しない接続カバー１３を取り付けるための接続カバー取付溝４４Ａが形成されている。また、図９に示すように、一対の被ガイド部４４には、トレイ外装部側接続部４２のＸ方向の内側に位置し且つ−Ｚ方向に向かって突出する被ガイド内側凸部４４Ｂと、トレイ外装部側接続部４２のＸ方向の外側に位置し且つ−Ｚ方向に向かって突出する被ガイド外側凸部４４Ｃと、被ガイド内側凸部４４Ｂと被ガイド外側凸部４４Ｃとの間に位置する被ガイド凹部４４Ｄが形成されている。被ガイド外側凸部４４ＣのＺ方向の高さ寸法は、被ガイド内側凸部のＺ方向の高さ寸法よりも大きい。また、図１０に示すように、被ガイド内側凸部４４Ｂ、被ガイド外側凸部４４Ｃおよび被ガイド凹部４４Ｄは、いずれもＹ方向に沿って延びている。
【００２１】
図１１に示すように、カムフォロワ１４は、Ｙ方向に沿って延びる細長い円柱形状の部材であり、カムフォロワ１４の一端部すなわち−Ｙ方向端部に、−Ｚ方向に屈曲する第１屈曲部１４Ａが形成され、カムフォロワ１４の他端部すなわち＋Ｙ方向端部に、−Ｚ方向に屈曲する第２屈曲部１４Ｂが形成されている。
【００２２】
図１２に示すように、接続カバー１３は、ＸＹ平面に沿って延びる接続カバー上壁５１と、接続カバー上壁５１に連結し且つＹＺ平面に沿って延びる一対の接続カバー側壁５２と、一対の接続カバー側壁５２に連結され且つ接続カバー上壁５１よりも−Ｚ方向側に位置し、ＸＹ平面に沿って延びる接続カバー下壁５３により形成され、＋Ｙ方向および−Ｙ方向に向かって開口する筒形状を有している。接続カバー上壁５１のＸ方向の中央部には、接続カバー上壁５１の＋Ｙ方向端部から−Ｙ方向に向かって延び且つ−Ｚ方向に傾斜する上壁板バネ部５１Ａが形成されている。また、接続カバー上壁５１の＋Ｙ方向端部に、−Ｚ方向に屈曲した一対の上壁屈曲部５１Ｂが形成されている。また、一対の接続カバー側壁５２に、それぞれ、接続カバー側壁５２の−Ｙ方向端部から＋Ｙ方向に向かって延び且つ接続カバー１３のＸ方向の内側に傾斜する側壁板バネ部５２Ａが形成されている。
【００２３】
ここで、図１３に、接続カバー１３を省略したコネクタ用トレイ１０の斜視図を示す。コネクタ用トレイ１０において、トレイ本体１１とトレイ外装部１２とが互いに接続されており、トレイ本体１１のトレイ本体側接続部３１に形成された一対のガイド部３３とトレイ外装部１２のトレイ外装部側接続部４２に形成された一対の被ガイド部４４とが互いに接触している。
【００２４】
ここで、図示しないが、ガイド部３３のガイド底面３３Ａに被ガイド部４４の被ガイド内側凸部４４Ｂの−Ｚ方向端部が接触し、被ガイド内側凸部４４Ｂが、ガイド部３３の内側ガイド壁３３Ｂと外側ガイド壁３３Ｃの間に配置されている。また、ガイド部３３の外側ガイド壁３３Ｃが被ガイド部４４の被ガイド凹部４４Ｄに収容され、被ガイド部４４の被ガイド外側凸部４４Ｃがガイド部３３のスプリング収容溝３３Ｄに収容されている。
このようにして、トレイ本体１１の一対のガイド部３３とトレイ外装部１２の一対の被ガイド部４４とが互いに接触しているため、トレイ外装部１２は、トレイ本体１１に対して、Ｙ方向に変位可能であるが、Ｘ方向の変位が制限される。
【００２５】
また、図１４に示すように、カムフォロワ１４の＋Ｙ方向端部に形成された第２屈曲部１４Ｂが、トレイ外装部１２のカムフォロワ連結部４３に形成されたカムフォロワ挿入孔４３Ａに挿入され、カムフォロワ１４の−Ｙ方向端部に形成された第１屈曲部１４Ａが、トレイ本体１１のトレイ本体側接続部３１に形成されたカム溝３２に挿入されている。ここで、カムフォロワ挿入孔４３Ａは円形状を有しており、カムフォロワ１４の第２屈曲部１４Ｂも円柱形状を有しているため、カムフォロワ１４は、ＸＹ平面内で回転可能にトレイ外装部１２と連結されている。そのため、例えば、トレイ外装部１２がＹ方向に沿って変位した場合に、カムフォロワ１４の第１屈曲部１４Ａは、カムフォロワ１４の第２屈曲部１４Ｂを中心として、円軌道を描きながらカム溝３２に沿って移動することができる。
【００２６】
また、２本のスプリング１５は、それぞれ、いわゆる自然長を有する状態よりも縮められた状態でトレイ本体１１の一対のスプリング収容溝３３Ｄに収容される。このとき、２本のスプリング１５の＋Ｙ方向端部は、トレイ外装部１２の被ガイド外側凸部４４Ｃの−Ｙ方向端部に接触する。そのため、スプリング１５は、トレイ外装部１２に対し、＋Ｙ方向に向かって弾性力を加えている。
【００２７】
ここで、図１に示すように、実施の形態に係るコネクタ用トレイ１０には、接続カバー１３が取り付けられているが、この接続カバー１３により、トレイ本体１１に対するトレイ外装部１２のＺ方向における変位が制限される。そのため、トレイ外装部１２は、トレイ本体１１に対してＹ方向にのみ変位することが可能である。
【００２８】
また、図１５に示すように、接続カバー１３の一対の上壁屈曲部５１ＢのＹ方向における幅は、トレイ外装部１２のトレイ外装部側接続部４２に形成された一対の接続カバー取付溝４４ＡのＹ方向長さよりも狭く、一対の上壁屈曲部５１Ｂは、一対の接続カバー取付溝４４Ａに挿入されている。ここで、トレイ外装部１２は、トレイ本体１１に対してＹ方向に沿って変位することができるが、一対の上壁屈曲部５１Ｂが一対の接続カバー取付溝４４Ａに挿入されていることにより、トレイ外装部１２は、上壁屈曲部５１Ｂが接続カバー取付溝４４Ａの−Ｙ方向端部に接触する位置と接続カバー取付溝４４Ａの＋Ｙ方向端部に接触する位置の間の範囲に、Ｙ方向の変位が制限される。
【００２９】
また、接続カバー１３の一対の側壁板バネ部５２Ａは、トレイ本体１１のトレイ本体側接続部３１に形成された接続カバー取付凹部３５に挿入されている。これにより、トレイ本体１１に対して接続カバー１３の位置が固定される。図１５において、接続カバー１３の上壁板バネ部５１Ａとカムフォロワ１４を通るようにＹＺ平面に沿ってコネクタ用トレイ１０を切断したＡ−Ａ線断面図を図１６に示す。接続カバー１３の接続カバー上壁５１に形成された上壁板バネ部５１Ａは、カムフォロワ１４と接触し、カムフォロワ１４の−Ｙ方向端部に形成された第１屈曲部１４Ａに対して−Ｚ方向に弾性力を加えている。そのため、カムフォロワ１４の第１屈曲部１４Ａは、＋Ｚ方向に浮き上がることなく、カム溝３２に沿って移動することができる。
【００３０】
ここで、図１４に示すように、カム溝３２とカムフォロワ１４により、いわゆるカム機構が形成され、２本のスプリング１５により、トレイ外装部１２をトレイ本体１１からＹ方向に沿って押し出す押し出し機構が形成されている。トレイ本体１１とトレイ外装部１２の間に配置されたプッシュプッシュ機構Ｐは、カム機構と押し出し機構を有しており、トレイ外装部１２を、Ｙ方向においてトレイ本体１１から遠ざかった位置である第１位置と、トレイ本体１１に近接した位置である第２位置との間で変位させることができる。以下では、プッシュプッシュ機構Ｐに起因する実施の形態に係るコネクタ用トレイ１０の動作について説明する。
【００３１】
まず、図１４に示すように、トレイ外装部１２がトレイ本体１１から遠ざかった位置である第１位置に配置され、カムフォロワ１４の−Ｙ方向端部に形成された第１屈曲部１４Ａがカム溝３２の位置Ｇ１に配置されているとする。このとき、トレイ外装部１２が２本のスプリング１５により＋Ｙ方向に向かって押されており、図示しない接続カバー１３の上壁屈曲部５１Ｂの−Ｙ方向端部がトレイ外装部１２の接続カバー取付溝４４Ａの−Ｙ方向端部と突き当たるため、トレイ外装部１２が第１位置に配置された状態が維持される。
【００３２】
トレイ外装部１２が第１位置に配置されている状態で、ユーザの指等によりトレイ外装部１２がトレイ本体１１に対して−Ｙ方向に向かって押されると、図１７に示すように、カムフォロワ１４の第１屈曲部１４Ａは、カム溝３２に沿って移動する。
【００３３】
トレイ外装部１２がトレイ本体１１に最も近接する位置に至るまで、トレイ外装部１２がトレイ本体１１に対して−Ｙ方向に向かって押された後、トレイ外装部１２を−Ｙ方向に向かって押していたユーザの指等がトレイ外装部１２から離れると、２本のスプリング１５によりトレイ外装部１２が＋Ｙ方向に押されることにより、トレイ外装部１２がトレイ本体１１に対して＋Ｙ方向に変位する。
【００３４】
ここで、トレイ外装部１２がトレイ本体１１に最も近接する位置に配置されている状態においては、カムフォロワ１４の第１屈曲部１４Ａはカム溝３２の位置Ｇ２に位置しているが、ユーザの指等がトレイ外装部１２から離れ、トレイ外装部１２が＋Ｙ方向に変位すると、図１８に示すように、カムフォロワ１４の第１屈曲部１４Ａがカム溝３２の位置Ｇ３に配置され、トレイ外装部１２が第２位置に配置される。このとき、カム溝３２の位置Ｇ３において、カムフォロワ１４の第１屈曲部１４Ａは、カム溝３２の＋Ｙ方向側の側壁部に引っかかるため、トレイ外装部１２が第２位置に配置された状態が維持される。
【００３５】
また、カム溝３２には、複数の段差が形成されているため、カムフォロワ１４の第１屈曲部１４Ａは、カム溝３２を＋Ｚ方向側から見たときに、カム溝３２に沿って右回りにのみ移動することができる。そのため、カムフォロワ１４の第１屈曲部１４Ａがカム溝３２の位置Ｇ２に位置している状態で、ユーザの指等がトレイ外装部１２から離れたとしても、カムフォロワ１４の第１屈曲部１４Ａが左回りに移動して先端位置Ｇ１に戻ることはなく、位置Ｇ３に配置される。
【００３６】
トレイ外装部１２がトレイ本体１１に対して第２位置に配置されている状態において、再び、トレイ外装部１２がトレイ本体１１に対して−Ｙ方向に向かって押されると、図１９に示すように、カムフォロワ１４の第１屈曲部１４Ａは、位置Ｇ３から、カム溝３２に沿って位置Ｇ４に移動する。この状態において、トレイ外装部１２を−Ｙ方向に向かって押すユーザの指等がトレイ外装部１２から離れると、トレイ外装部１２が２本のスプリング１５により＋Ｙ方向に向かって押し出される。これにより、図１４に示すように、カムフォロワ１４の第１屈曲部１４Ａがカム溝３２の先端位置Ｇ１に配置されて、トレイ外装部１２が、再び、第１位置に配置される。
【００３７】
このようにして、トレイ本体１１とトレイ外装部１２との間に配置されたプッシュプッシュ機構Ｐにより、トレイ外装部１２は、トレイ本体１１から遠ざかった位置である第１位置とトレイ本体１１に近接した位置である第２位置との間でＹ方向に沿って変位する。
【００３８】
以上において説明される実施の形態に係るコネクタ用トレイ１０は、例えば、図示しないＳＩＭ（Subscriber Identity Module）カード等の接続対象物をトレイ本体１１に収容した状態で、図２０に示すように、筐体Ｈ内の基板Ｓに実装されたコネクタ本体６１に挿入されて使用される。このようなコネクタ用トレイ１０とコネクタ本体６１により、コネクタＣが構成される。コネクタＣにおいて、コネクタ用トレイ１０が筐体Ｈ内に配置されたコネクタ本体６１に挿入されることにより、コネクタ用トレイ１０に収容された接続対象物の図示しない接続端子とコネクタ本体６１の図示しない接続端子とが互いに接触し、接続対象物とコネクタ本体６１とが電気的に接続される。図２０に示す例において、筐体Ｈに、コネクタ用トレイ１０が挿入されるトレイ挿入孔ＨＡが形成されており、コネクタ用トレイ１０は、トレイ挿入孔ＨＡを通って筐体Ｈ内のコネクタ本体６１に挿入される。このとき、図２１に示すように、トレイ外装部１２は、トレイ本体１１に近接した位置である第２位置に配置されており、トレイ外装部１２の把持部４１の＋Ｙ方向側端部は、筐体Ｈの＋Ｙ方向端部に対して、Ｙ方向に概ね同一の位置に配置されている。
【００３９】
このように、トレイ外装部１２がトレイ本体１１に対して第２位置に配置されている状態で、図２２に示すように、トレイ外装部１２の把持部４１がユーザの指等により−Ｙ方向に押されると、プッシュプッシュ機構Ｐにより、トレイ外装部１２がトレイ本体１１から押し出される。これにより、図２３に示すように、トレイ外装部１２がトレイ本体１１に対して第１位置に配置される。このとき、トレイ本体１１の位置は、筐体Ｈに挿入された状態のまま変位せず、トレイ外装部１２が＋Ｙ方向に向かって変位する。これにより、トレイ外装部１２の把持部４１が筐体Ｈの外側に押し出される。ユーザは、例えば、筐体Ｈの外側に位置するトレイ外装部１２の把持部４１を＋Ｙ方向に引っ張ることにより、コネクタ用トレイ１０を筐体Ｈから容易に取り出すことができる。
【００４０】
ここで、ＳＩＭカード等の接続対象物用のコネクタとして、従来から、図２４に示すようなコネクタが開発されている。図２４に示す従来のコネクタは、図示しない接続対象物を保持するカードホルダ１と、筐体５の内部に配置され且つカードホルダ１が挿入されるコネクタ本体２を有しており、コネクタ本体２には、カードホルダ１がコネクタ本体２に挿入された状態において、挿入方向に対してカードホルダ１と並列に配置されたプッシュプッシュ機構３が内蔵されている。
【００４１】
このようなコネクタにおいて、カードホルダ１をコネクタ本体２に向かって押すことで、プッシュプッシュ機構３により、カードホルダ１が筐体５の外部に押し出されるように設計されているが、特許文献１にも記載されているように、何らかの理由により、カードホルダ１とコネクタ本体２との間の接触力が、プッシュプッシュ機構３がカードホルダ１を押し出す力を超えてしまうと、カードホルダ１が筐体５の外部に排出されないことがあった。そのため、例えば、図２４に示すように、カードホルダ１に、ピン状のツールを引掛けるための凹部６が形成され、ピン状のツールにより、カードホルダ１をコネクタ本体２から強制的に引き抜かなければならないことがあった。
【００４２】
実施の形態に係るコネクタ用トレイ１０においては、トレイ本体１１とトレイ外装部１２との間に直列に配置されたプッシュプッシュ機構Ｐにより、トレイ外装部１２がトレイ本体１１から遠ざかった位置である第１位置とトレイ本体１１に近接した位置である第２位置との間をＹ方向に沿って変位することができるため、コネクタ用トレイ１０に収容された図示しない接続対象物およびコネクタ用トレイ１０とコネクタ本体６１との間の接触力が大きくても、プッシュプッシュ機構Ｐにより、その接触力に関係なく、トレイ外装部１２が筐体Ｈの外部に円滑に排出される。このため、実施の形態に係るコネクタ用トレイ１０によれば、従来のコネクタのように、ピン状のツール等を用いてコネクタ用トレイ１０をコネクタ本体６１から強制的に引き抜かなければならない事態が未然に防止され、コネクタ本体６１から接続対象物を円滑に取り出すことができる。
【符号の説明】
【００４３】
１  カードホルダ、２  コネクタ本体、３  プッシュプッシュ機構、４  指、５  筐体５、６  凹部、１０  コネクタ用トレイ、１１  トレイ本体、１２  トレイ外装部、１３  接続カバー、１４  カムフォロワ、１４Ａ  第１屈曲部、１４Ｂ  第２屈曲部、１５  スプリング、２１  接続対象物収容部、２２  収容凹部、２３  底部、２４  開口部、３１  トレイ本体側接続部、３２  カム溝、３３  ガイド部、３３Ａ  ガイド底面、３３Ｂ  内側ガイド壁、３３Ｃ  外側ガイド壁、３３Ｄ  スプリング収容溝、３５  接続カバー取付凹部、４１  把持部、４２  トレイ外装部側接続部、４３  カムフォロワ連結部、４３Ａ  カムフォロワ挿入孔、４４  被ガイド部、４４Ａ  接続カバー取付溝、４４Ｂ  被ガイド内側凸部、４４Ｃ  被ガイド外側凸部、５１  接続カバー上壁、５１Ａ  上壁板バネ部、５１Ｂ  上壁屈曲部、５２  接続カバー側壁、５２Ａ  側壁板バネ部、５３  接続カバー下壁、６１  コネクタ本体、Ｂ１  スプリング収容溝底面、Ｃ  コネクタ、Ｇ１，Ｇ２，Ｇ３，Ｇ４  位置、Ｈ  筐体、ＨＡ  トレイ挿入孔。
【図１】
2020177874.tif 000003
【図２】
2020177874.tif 000004
【図３】
2020177874.tif 000005
【図４】
2020177874.tif 000006
【図５】
2020177874.tif 000007
【図６】
2020177874.tif 000008
【図７】
2020177874.tif 000009
【図８】
2020177874.tif 000010
【図９】
2020177874.tif 000011
【図１０】
2020177874.tif 000012
【図１１】
2020177874.tif 000013
【図１２】
2020177874.tif 000014
【図１３】
2020177874.tif 000015
【図１４】
2020177874.tif 000016
【図１５】
2020177874.tif 000017
【図１６】
2020177874.tif 000018
【図１７】
2020177874.tif 000019
【図１８】
2020177874.tif 000020
【図１９】
2020177874.tif 000021
【図２０】
2020177874.tif 000022
【図２１】
2020177874.tif 000023
【図２２】
2020177874.tif 000024
【図２３】
2020177874.tif 000025
【図２４】
2020177874.tif 000026